(57)【要約】【課題】内枠に対して前枠を閉止した際に両枠の側端縁間に形成される隙間から遊技領域内に不正行為実行工具を差し込むことによる不正行為を防止するために隙間を埋めるためのリブを両枠に固定した場合に、リブを破壊、除去することを困難化して不正行為を阻止する。【解決手段】外枠２の一側部２ａに固定した金属側板４０は、外枠前面を越えて前方へ突出した延長片４２と、延長片の前端縁を内側に屈曲させたリブ４２と、を備え、リブは内枠２０を間に挟んだ状態で外枠に対して前枠３０を閉止したときに内枠と前枠の各一側部間に形成される隙間Ｇ内に嵌合する構成を備え、前枠は、外枠に対して閉止位置にある時にリブに近接した状態で嵌合し、外枠に対して開放位置にあるときに該リブから離脱する凹部を有した不正防止部材５０を備え、不正防止部材は、凹部から前方へ向けて延びる前部延長片５２と、を備えている。【選択図】図７
2010240148.tif 000002
【特許請求の範囲】
【請求項１】
一側部に軸支部を有した外枠と、遊技盤を支持し且つ該軸支部により一側部を回動可能に軸支された内枠と、前記遊技盤の前面を覆う透明板を支持し且つ前記軸支部により一側部を回動可能に軸支された前枠と、を備えたパチンコ遊技機において、
前記外枠の一側部に固定、又は予め一体化した金属側板を備え、
前記金属側板は、前記外枠前面を越えて前方へ突出した延長片と、該延長片の前端縁を内側に屈曲させたリブと、を備え、
前記リブは前記内枠を間に挟んだ状態で前記外枠に対して前記前枠を閉止したときに該内枠と該前枠の各一側部間に形成される隙間内に嵌合する構成を備え、
前記前枠は、前記外枠に対して閉止位置にある時に前記リブに近接した状態で嵌合し、前記外枠に対して開放位置にあるときに該リブから離脱する凹部を有した不正防止部材を備え、
前記不正防止部材は、前記凹部と、該凹部から前方へ向けて延びる前部延長片と、を備えていることを特徴とするパチコン遊技機の不正行為防止構造。
【請求項２】
前記前部延長片の前部は前記前枠を構成する金属基体と一体化されていることを特徴とする請求項１に記載のパチコン遊技機の不正行為防止構造。
【請求項３】
前記前部延長片の外側面を、前記前枠の金属基体の外面を覆う外装部材の一部によって覆ったことを特徴とする請求項１、又は２に記載のパチコン遊技機の不正行為防止構造。
【請求項４】
前記前枠の閉止時に前記外装部材の一部が前記隙間を閉止するように構成したことを特徴とする請求項３に記載のパチコン遊技機の不正行為防止構造。
【請求項５】
前記凹部内に前記リブが嵌合した時に、該リブ先端と近接する凹部の内角を鋭角状としたことを特徴とする請求項１乃至４の何れか一項に記載のパチコン遊技機の不正行為防止構造。
【発明の詳細な説明】
【技術分野】
【０００１】
本発明は、外枠の一側端に設けた軸支部によって一側端を夫々開閉自在に軸支された内枠と前枠との隙間から遊技盤面にピアノ線等を差し込むことにより実行される不正行為を有効に防止できるパチコン遊技機の不正行為防止構造に関する。
【背景技術】
【０００２】
パチンコ遊技機は、遊技場の島設備に組み付けられる外枠と、遊技盤を支持すると共に外枠により一側端縁を回動可能に軸支された内枠と、遊技盤の前面を覆う透明板を支持すると共に内枠の一側端縁に設けた軸支部により一側端縁を回動可能に軸支された前枠と、を備えている。
従来から、外枠に装着された状態にある内枠に対して前枠を閉止した際に、開閉軸が設けられた内枠の一側端縁と前枠の一側端縁との間に形成される隙間から、ピアノ線、セル板等の不正行為実行具を遊技領域内に差し込んで遊技球や盤面部品に干渉して遊技者に有利に遊技を進行させる不正行為が行われている。
【０００３】
このような不正行為を阻止するために特開平８−１６４２４８号公報には、内レールとガラス面との間に跨って軟質材から成る不正防止片を配置することにより、不正行為実行具の挿入を防止する技術が開示されている。
しかし、この従来技術にあっては、内レールが配置されている領域に限って不正行為実行具の挿入を防止できるに過ぎず、図柄表示装置の大型化に伴って盤面領域が拡大した昨今のパチンコ遊技機においては、内レールが配置されていない領域からの不正行為実行具の挿入が可能となっており、不正行為を防止するには不十分であった。
このような不具合に対処するために、特開２００８−２８９７７８公報には、遊技盤を保持した内枠の左側端縁に断面コ字状のリブを設けると共に、遊技盤を覆うガラス板を保持した前枠の左側端縁にはＩ字状のリブを設け、内枠に対して前枠を閉止したときにコ字状リブの凹所内にＩ字状リブが嵌合して両枠間の隙間を埋めるようにした不正行為防止構造が提案されている。
しかし、内枠と前枠の隙間内にコ字状リブの固定面が位置しているため、バール、ドライバー等の不正行為実行工具を隙間から差し込んでリブを内枠から離脱させて不正行為実行具を差し込む隙間を新たに形成することが可能であり、不正行為を防止するには十分でなかった。
【先行技術文献】
【特許文献】
【０００４】
【特許文献１】特開平８−１６４２４８号公報
【特許文献２】特開２００８−２８９７７８公報
【発明の概要】
【発明が解決しようとする課題】
【０００５】
以上のように従来のパチンコ遊技機にあっては、内枠に対して前枠を閉止した際に両枠の側端縁間に形成される隙間から遊技領域内にピアノ線、セル板等を差し込んで不正行為を行うことが可能であった。前記隙間を埋めるために内枠と前枠の一側端に沿った位置にリブを設けることも行われてはいるが、リブを工具によって破壊すればピアノ線等を挿入するための隙間を新たに形成することが可能である。
本発明は上記に鑑みてなされたものであり、遊技場に設置された場合に頻繁に開閉される内枠、及び前枠において、内枠に対して前枠を閉止した際に両枠の側端縁間に形成される隙間から遊技領域内に不正行為実行工具を差し込むことによる不正行為を防止するために前記隙間を埋めるためのリブを両枠に固定した場合に、リブを破壊、除去することを困難化して不正行為を阻止することができる不正行為防止構造を提供することを目的としている。
【課題を解決するための手段】
【０００６】
上記目的を達成するため、請求項１の発明は、一側部に軸支部を有した外枠と、遊技盤を支持し且つ該軸支部により一側部を回動可能に軸支された内枠と、前記遊技盤の前面を覆う透明板を支持し且つ前記軸支部により一側部を回動可能に軸支された前枠と、を備えたパチンコ遊技機において、前記外枠の一側部に固定、又は予め一体化した金属側板を備え、前記金属側板は、前記外枠前面を越えて前方へ突出した延長片と、該延長片の前端縁を内側に屈曲させたリブと、を備え、前記リブは前記内枠を間に挟んだ状態で前記外枠に対して前記前枠を閉止したときに該内枠と該前枠の各一側部間に形成される隙間内に嵌合する構成を備え、前記前枠は、前記外枠に対して閉止位置にある時に前記リブに近接した状態で嵌合し、前記外枠に対して開放位置にあるときに該リブから離脱する凹部を有した不正防止部材を備え、前記不正防止部材は、前記凹部と、該凹部から前方へ向けて延びる前部延長片と、を備えていることを特徴とする。
内枠に対して頻繁に開閉される前枠は開閉がスムーズに行われる必要がある一方で、不正行為実行具による侵入防止のため隙間を形成したくないという要請がある。内枠と前枠のヒンジ部に形成される隙間を埋めるために両枠に夫々侵入防止用のリブ等を設けた場合、隙間からリブ等の固定部が露出するため、バール等を用いてこれを除去すれば、侵入用の隙間を形成することが可能であった。本発明では、内枠の一側端部に侵入防止部材を配置するのでなく、外枠の一側端部に固定した金属側板を前方に延長して形成したリブを内枠と前枠との隙間に差し込ませるように構成し、このリブを前枠の一側端部に設けた凹部によって包囲できるようにした。
また、凹部の前端部に一体化した前部延長片を前枠の骨格を構成する金属基体と一体化したことにより、バール等を用いて不正防止部材を前枠から取り外すことが困難となる。
また、凹部内にリブが嵌合した時に、リブ先端と近接する凹部の内角θを鋭角状とし、更に係止片の後面を後部係止部と略平行にしているため、リブを凹部内に嵌合させたときに後面によってガイドされてリブ先端が近接部分に近づく後方向へ変形する。また、リブと凹部との隙間にバールを差し込めば、リブが凹部内に更に食い込む方向へ変形するのでリブと凹部とのロックを解除することが更に困難となる。
【０００７】
請求項２の発明は、請求項１において、前記前部延長片の前部は前記前枠を構成する金属基体と一体化されていることを特徴とする。
請求項３の発明は、請求項１、又は２において、前記前部延長片の外側面を、前記前枠の金属基体の外面を覆う外装部材の一部によって覆ったことを特徴とする。
金属基体と一体化された凹部をバール等によってこじ開けようとした場合には外装部材を破損する必要があるので、不正行為の傷痕を残すことが出来る。
請求項４の発明は、請求項３において、前記前枠の閉止時に前記外装部材の一部が前記隙間を閉止するように構成したことを特徴とする。
側部外装部材の後端部が障害物となって隙間からバールを差し込むことが困難となる。無理にバールを差し込んでこじ開けようとすると、側部外装部材に損傷が残るため、不正行為が行われたことを知ることができる。
請求項５の発明は、請求項１乃至４の何れか一項において、前記凹部内に前記リブが嵌合した時に、該リブ先端と近接する凹部の内角を鋭角状としたことを特徴とする。
リブが嵌合したときにリブ先端が近接する凹部の内角を鋭角状としたので、リブが凹部内に嵌合する際にリブ先端は鋭角部に近づく。このため、リブと凹部とのロックが強化される。また、バールを用いてこじ開けようとした場合にはリブが変形してこじ開けは更に困難となる。
【発明の効果】
【０００８】
本発明においては、内枠を間に挟んで外枠に対して前枠を閉止したときに、外枠の一側端に固定した金属側板から延びるリブが内枠と前枠との間の隙間内に入り込むので、前枠に設けた凹部との協働により隙間からのピアノ線やセル板等を挿入することを確実に防止できる。また、内枠に固定されることによってバール等によって除去可能となる金属板やリブが存在せず、リブは外枠に固定された金属側板から延びており、しかも内枠を間に挟んで外枠に対して前枠を閉止した状態では延長片及びリブが内枠と前枠との間の隙間の大変を塞いでいるため、バール等によって枠から取外し可能な固定部が隙間内に露出していない。従って、外側から隙間内にバール等を差し込んだとしてもリブと凹部との間に入り込んでそれ以上両者の間隔を拡大したり、何れか一方を破壊して除去することは不可能となるため、ピアノ線等を差し込むための新たな隙間を形成する余地がなくなり、不正行為を効果的に防止することが可能となる。
また、凹部の前端部に一体化した前部延長片を前枠の骨格を構成する金属基体と一体化したことにより、バール等を用いて不正防止部材を前枠から取り外すことが困難となる。
リブの突出方向は、リブと凹部とが係合する閉止位置における凹部の円弧状の移動経路上の接線と同じ方向に設定されているため、両者の係合をスムーズ且つ強固に行うことができる。
【図面の簡単な説明】
【０００９】
【図１】本発明の一実施形態に係る不正行為防止構造を備えたパチンコ遊技機の外観斜視図である。
【図２】図１のパチンコ遊技機において閉止状態にある外枠と内枠に対して前枠だけを開放した状態の斜視図である。
【図３】図１のパチンコ遊技機において外枠に対して前枠と内枠を共に開放した状態を示す斜視図である。
【図４】外枠単体の外観図である。
【図５】外枠単体の軸支部によって前枠単体の被軸支部を軸支した状態（内枠は省略）を示しており、（ａ）は開放状態、（ｂ）は閉止状態を示した斜視図である。
【図６】本発明の特徴的部分の構成説明図である。
【図７】（ａ）（ｂ）及び（ｃ）は本発明の不正行為防止構造の要部の開閉状態を示す横断面図である。
【図８】（ａ）（ｂ）及び（ｃ）は本発明の他の実施形態に係る不正行為防止構造を備えた係止部の構成を示す概略図（平面横断面図）である。
【発明を実施するための形態】
【００１０】
以下、本発明を添付図面に示した実施の形態により詳細に説明する。
図１は本発明の一実施形態に係る不正行為防止構造を備えたパチンコ遊技機の外観斜視図であり、図２は図１のパチンコ遊技機において閉止状態にある外枠と内枠に対して前枠だけを開放した状態の斜視図であり、図３は図１のパチンコ遊技機において外枠に対して前枠と内枠を共に開放した状態を示す斜視図であり、図４は外枠単体の外観図であり、図５は外枠単体の軸支部によって前枠単体の被軸支部を軸支した状態（内枠は省略）を示しており、（ａ）は開放状態、（ｂ）は閉止状態を示した斜視図であり、図６は本発明の特徴的部分の構成説明図であり、図７（ａ）（ｂ）及び（ｃ）は本発明の不正行為防止構造（内枠は省略）の要部の開閉状態を示す横断面図である。
【００１１】
パチンコ遊技機１の骨格構造は、各図に示すように矩形枠形状の外枠２の一側端（左側端）２ａの上下端部から夫々前方へ突設した板状の軸支部３、４によって、遊技盤を支持する内枠（遊技盤取付け枠）２０の一側端（左側端）２０ａの上下端部から夫々前方へ突設した被軸支部２１、２２と、ガラス板を支持する外枠（ガラス枠）３０の一側端部（左側端部）３０ａの上下端部から夫々前方へ突設した被軸支部３１、３２とを同時に軸支することによって、外枠２に対して内枠２０、及び前枠３０を夫々開閉自在に支持した構成となっている。
外枠２の軸支部３、４のうちの上側の軸支部３は、板状片の先端に略円形（Ω形状）の切欠き部３ａを形成した構成を備え、下側の軸支部４は板状片に軸穴４ａを設けた構成を備えている。
内枠２０の被軸支部２１、２２は、外枠の各軸支部３、４に設けた切欠き部３ａ、及び軸穴と整合する軸穴２１ａ、２２ａを備えており、上側の被軸支部３１は上側の軸支部３の上面に当接され、下側の被軸支部３２は下側の軸支部４の下面に当接される。
【００１２】
前枠３０の上側の被軸支部３１はその上面に設けた穴内に出没自在に支持した図示しないピンを上方へ弾性付勢した構成を備え、下側の被軸支部３２はその上面に設けた穴内に出没自在に支持した図示しないピンを上方へ弾性付勢した構成を備えている。各被軸支部３１、３２に設けた各ピンは、外枠２の軸支部３、４（切欠き部３ａ、軸穴４ａ）に対して内枠２０の各被軸支部（軸穴２１ａ、２２ａ）を夫々連通させた状態で、これら（切欠き部３ａ及び軸穴２１ａ、軸穴４ａ及び軸穴２２ａ）に対して夫々挿通されることにより、各ピンを回転中心として外枠の軸支部に対して内枠、前枠を夫々独立して開閉自在に支持している。
なお、上記した各軸支部や各被軸支部の組付け構造は一例に過ぎず、各部の形状、構造、組付け位置関係などは種々選択、変形が可能であり、どのような枢軸部の構造に対しても本発明の不正行為防止構造は適用可能である。
【００１３】
本発明の不正行為防止構造は、一側端２ａに軸支部３、４を有した外枠２と、遊技盤を支持し且つ軸支部３、４により一側端２０ａ（被軸支部２１、２２）を略水平方向へ回動可能に軸支された内枠２０と、遊技盤の前面を覆うガラス板（透明板）を支持し且つ軸支部３、４により一側端３０ａ（被軸支部３１、３２）を略水平方向へ回動可能に軸支された前枠３０と、を備えたパチンコ遊技機において、外枠２の一側端面に沿って固定、又は予め一体化した金属側板４０の構造と、前枠３０に設けた不正防止部材５０の構造に一つの特徴を有する。
即ち、金属側板４０は、外枠一側端に固定、又は予め一体化された基片と、基片の前端縁から外枠前面を越えて前方へ突出した延長片４１と、延長片４１の前端縁を内側に屈曲させたリブ４２と、を備えた平面視Ｌ字型をなしている。金属側板４０は、ボルト等によって後付けしてもよいし、外枠製造時にその一側端に予め一体化してもよい。
リブ４２は内枠２０を間に挟んだ状態で外枠２に対して前枠３０を閉止したときに内枠と前枠の各一側部２０ａ、３０ａ間に形成される隙間Ｇ内に突出して嵌合する構成を備えている。つまり、外枠２に固定された金属側板４０から一体的に延びる延長片４１とリブ４２は、各枠の閉止時に内枠の一側部２０ａを隠蔽すると共に、隙間Ｇの大半を閉止する。
一方、前枠３０は、図１、及び図５（ｂ）、図６、図７（ｃ）に示すように、内枠２０を間に挟んで外枠２に対して閉止位置にある時にリブ４２の前後面及び先端部に近接した状態で嵌合し、図５（ａ）図７（ａ）に示すように外枠に対して開放位置にあるときにリブ４２から離脱する凹部５１を有した不正防止部材５０を備えている。
【００１４】
本発明では、不正防止部材５０は、凹部５１と、凹部５１の前端部５１ｂから前方へ向けて延びる前部延長片５２と、を備えている。更に、前部延長片５２は前枠３０の金属基体３５に対して一体化されている。本例では、前部延長片５２は、ボルト等の固定部３３により金属基体３５に対して固定されている。
このため、凹部５１の前端部５１ｂに一体化した前部延長片５２を前枠３０の骨格を構成する金属基体３５と一体化し、バール等を用いて不正防止部材５０を前枠から取り外すことが困難となる。
更に、前部延長片５２の外側面は、前枠の金属基体３５の前面を覆う外装部材３６の一部を側端部に延長形成された側部外装部材３６ａによって密着して覆われている。このため、金属基体と一体化された凹部をバール等によってこじ開けようとした場合には外装部材を破損する必要があるので、不正行為の傷痕を残すことが出来る。
更に、図７（ｃ）のように前枠を閉止した時に側部外装部材３６ａの後端部が隙間Ｇを閉止するように後方へ突出させておくことにより、側部外装部材の後端部が障害物となって隙間Ｇからバールを差し込むことが困難となる。無理にバールを差し込んでこじ開けようとすると、側部外装部材に損傷が残るため、不正行為が行われたことを知ることができる。
【００１５】
次に、図８（ａ）（ｂ）及び（ｃ）は本発明の他の実施形態に係る不正行為防止構造を備えた係止部の構成を示す概略図（平面横断面図）である。
本発明に係る不正行為防止構造は、不正防止部材５０の凹部５１がリブ４２の先端と近接する部分５１ｄ（後部係止片５１ａと内側係止片５１ｃとの交差部）の内角θを鋭角状とすると共に、前部係止片５１ｂの後面５１ｂ｀を前方外側から後方内側へ向かって傾斜させている。これを換言すれば、凹部５１内にリブ４２が嵌合した時に、リブ先端と近接する凹部の内角θを鋭角状とし、更に係止片５１ｂの後面５１ｂ｀を後部係止部５１ａと略平行にしているため、リブ４２を凹部内に嵌合させたときに後面５１ｂ｀によってガイドされてリブ先端が近接部分５１ｄに近づく後方向へ変形する。
凹部５１が略菱形状に構成されていることに応じて、延長片４１に対するリブ４２の屈曲角度は９０度ではなく鋭角状となっている。従って、図８（ｃ）のようにリブ４２が凹部５１内に嵌合したときにリブ４２と前部係止片の後面５１ｂ｀とが略平行となっている。
従って、前枠が閉止された状態においてリブ４２と前部係止片の後面５１ｂ｀との間に隙間Ｇ１からバール等を差し込んでこじ開けようとすると、リブ４２が変形して凹部５１内に更に食い込んだ状態となり、こじ開けがますます困難となる。また、リブ４２が凹部５１内に食い込んでしまうとロックされた状態となるので前枠の開放が困難となり、傷痕も残るので、不正行為が行われたことを知ることができる。
本例においても、外装部材３６の一部である側部外装部材３６ａによって隙間Ｇを閉止るようにしてもよい。
【００１６】
更に本発明では、リブ４２の突出方向を、軸支部３、４、及び上下の各ピンを中心とした凹部５１の円弧状の移動軌跡Ｔ上の接線方向Ｄとなるように設定しており、リブ４２と凹部５１とが円弧の接線上で噛み合うように構成することによりリブの方向と接線が同じ方向となって略接線位置で同じ向きになって嵌合することとなる。
即ち、内枠を省略した図６、図７に示すようにリブ４２は金属側板４０から延びる延長片４１の前端縁を内側へ向けて屈曲させた構成を備え、その屈曲角度は、軸支部３、４、及び上下の各ピンを中心とした凹部５１の円弧状の移動軌跡Ｔ上の接線方向Ｄとなるように設置されている。このため、前枠３０を図７（ａ）の開放位置から（ｂ）の中間位置を経て（ｃ）の閉止位置に移動する際に、不正防止部材５０に設けた凹部５１、特に凹部の後部係止片５１ａがリブ４２と弾性的に係合してロック力を高めるように構成されている。
【００１７】
また、外枠２に対して前枠３０を閉止したときに内枠２０の一側端２０ａと前枠の一側端３０ａとの間に形成される隙間Ｇ（図７（ｃ））が、外枠に設けたリブ４２と、リブの前後面及び先端部を覆う凹部５１とによって閉塞された状態となって外部から隙間Ｇ内にピアノ線やセル板等を差し込んで遊技領域内の遊技球や盤面部品に対する不正行為を行うことができなくなる。つまり、隙間Ｇの奥部には、互いに密着したリブと凹部とからなるＵ字状の狭い経路が形成されるが、この経路からピアノ線等を挿入することはほぼ不可能である。
即ち、従来の不正行為防止用の金属板やリブとは異なり、本発明においては外枠２に対して前枠３０を閉止したときに、外枠の一側端２ａに固定した金属側板４０から延びるリブ４２が図７（ｃ）に示した隙間Ｇ内に入り込むようにその突出方向を規定したため、凹部との協働により隙間Ｇからのピアノ線やセル板等を挿入することを確実に防止できる。
即ち、従来の不正行為防止のための金属板やリブは、内枠と前枠の一側部に夫々固定されていたため、内枠と前枠との間に形成される隙間内に各枠と金属板等との固定部が露出した状態となっていた。このため、この露出した固定部をバール等の工具によって破壊すれば、隙間を開口形成することが可能となり、不正実施工具を挿入することが可能となった。
【００１８】
これに対して本発明においては、そもそも内枠に固定されることによってバール等によって除去可能となる金属板やリブが存在せず、リブ４２は外枠２に固定された金属側板４０から延びており、しかも内枠を間に挟んで外枠に対して前枠を閉止した状態では延長片４１及びリブ４２が内枠と前枠との間の隙間Ｇの大変を塞いでいるため、バール等によって枠から取外し可能な固定部が隙間内に露出していない。従って、外側から隙間Ｇ内にバール等を差し込んだとしてもリブ４２と凹部５１との間に入り込んでそれ以上両者の間隔を拡大したり、何れか一方を破壊して除去することは不可能となるため、ピアノ線等を差し込むための新たな隙間を形成する余地がなくなり、不正行為を効果的に防止することが可能となる。
また、リブの突出方向は、リブと凹部とが係合する閉止位置における凹部の円弧状の移動経路上の接線と同じ方向に設定されているため、両者の係合をスムーズ且つ強固に行うことができる。
【００１９】
以上のように本発明によれば、遊技場に設置された場合に頻繁に開閉される内枠、及び前枠において、内枠に対して前枠を閉止した際に両枠の側端縁間に形成される隙間から遊技領域内に不正行為実行工具を差し込むことによる不正行為を防止するために前記隙間を埋めるためのリブを両枠に固定した場合に、リブを破壊、除去することを困難化して不正行為を阻止することができる。
即ち、内枠２０に対して頻繁に開閉される前枠３０は開閉がスムーズに行われる必要がある一方で、不正行為実行具による侵入防止のため隙間（遊技領域まで連通する隙間）を形成したくないという要請がある。従来、内枠と前枠のヒンジ部に形成される隙間を埋めるために両枠に夫々侵入防止用のリブ等を設けた場合、隙間からリブ等の固定部が露出するため、バール等を用いてこれを除去すれば、侵入用の隙間を形成することが可能であった。本発明では、内枠の一側端部２０ａに侵入防止部材を配置するのでなく、外枠２の一側端部２ａに固定した金属側板４０を前方に延長して形成したリブ４２を内枠と前枠との隙間Ｇに差し込ませるように構成し、このリブを前枠の一側端部に設けた凹部５１によって包囲できるようにした。
【００２０】
更に、不正防止部材の凹部５１がリブ４２の先端と近接する部分５１ｄの内角θを鋭角状とすると共に、前部係止片の後面５１ｂ｀を前方外側から後方内側へ向かって傾斜させている。更に、リブ４２の屈曲角度を鋭角状となっている。このため、リブ４２が凹部５１内に嵌合したときにリブ４２と前部係止片の後面５１ｂ｀とが略平行となっている。従って、前枠の閉止時にリブ４２と前部係止片の後面５１ｂ｀との間に隙間Ｇ１からバール等を差し込んでこじ開けようとすると、リブ４２が変形して凹部５１内に更に食い込んだ状態となり、こじ開けがますます困難となる。
更に、リブと凹部とが凹部の円弧状の移動軌跡上の接線上で噛み合うようにした。即ち、リブの突出方向と接線が同じ方向に向くようにしたので、リブと凹部とは略接線位置で同じ向きになって嵌合する。このため、隙間からバール等を差し込んだとしても金属側板を破壊、除去することができないばかりでなく、頻繁な開閉が行われたとしてもリブと凹部との係合がスムーズとなる。
また、金属側板を外枠の一部として構成した場合（ボルト等により後付けしない場合）には、金属側板自体を除去して不正行為を行うことが極めて困難となる。
【符号の説明】
【００２１】
１…パチンコ遊技機、２…外枠、２ａ…一側端、３…軸支部、３ａ…切欠き部、４…軸支部、４ａ…軸穴、２０…内枠、２０ａ…一側端（一側部）、２１、２２…被軸支部、２１ａ…軸穴、２２ａ…軸穴、３０…前枠、３０ａ…一側端、３１…被軸支部、３２…被軸支部、３６…外装部材、３６ａ…側部外装部材、４０…金属側板、４１…延長片、４２…リブ、５０…不正防止部材、５１…凹部、５１ａ…後部係止片、５１ｂ…前部係止片、５１ｂ｀…後面、５１ｃ…内側係止片、５１ｄ…近接部分、５２…前部延長片
【図１】
2010240148.tif 000003
【図２】
2010240148.tif 000004
【図３】
2010240148.tif 000005
【図４】
2010240148.tif 000006
【図５】
2010240148.tif 000007
【図６】
2010240148.tif 000008
【図７】
2010240148.tif 000009
【図８】
2010240148.tif 000010